(57)【要約】  本発明のステント施術用カテーテルは、一側末端がハンドル側に結合されるソリッドバーと、前記ソリッドバーが内部に挿入され、ガイドワイヤが外側から中に挿入されることができる挿入孔が形成され、一側末端が本体側に結合される外側チューブと、前記ソリッドバー側に結合され、ガイドワイヤが通過する通過孔を有することにより、ガイドワイヤを案内するガイドチップと、前記ガイドチップを前記ソリッドバーに連結させる連結チューブとを含み、前記ガイドワイヤが前記外側チューブの中に収容されることができるように、前記ソリッドバーには、前記連結チューブ側に連結される部位の一定区間に前記ガイドワイヤが収容されることができる空間を設けるために収容溝が形成される。これによれば、ガイドワイヤの長さを短くしながらも棒状のソリッドバーによって、構造が簡単で組立が単純であり、不良率を減少して生産性が向上し、操作不良が防止される。【選択図】図２
2017537754.tif 000002
【特許請求の範囲】
【請求項１】
一側末端がハンドル側に結合されるソリッドバーと、
前記ソリッドバーが内部に挿入され、ガイドワイヤが外側から中に挿入されることのできる挿入孔が形成され、一側末端が本体側に結合される外側チューブと、
前記ソリッドバー側に結合され、前記ガイドワイヤが通過する通過孔を有することにより、前記ガイドワイヤを案内するガイドチップと、
前記ガイドチップを前記ソリッドバーに連結させる連結チューブとを含み、
前記ガイドワイヤが前記挿入孔を通じて前記外側チューブの外側から内側に挿入された後、前記連結チューブの内部を経て前記ガイドチップの通過孔から抜け出る構造であり、
前記ガイドワイヤが前記外側チューブの中に収容されることができるように、前記ソリッドバーには、前記連結チューブ側に連結される部位の一定区間に前記ガイドワイヤが収容されることができる空間を設けるための収容溝が形成されている
ことを特徴とするステント施術用カテーテル。
【請求項２】
前記ソリッドバーと前記連結チューブとが結合し、
前記外側チューブの挿入孔に挿入されるガイドワイヤが前記連結チューブの内部を経て前記ガイドチップの通過孔から抜け出ることを案内する案内部材を更に含み、
前記案内部材はガイドワイヤを案内するための案内孔を有し、
前記案内孔は、前記ガイドチップの通過孔と同じ直線上に位置することにより、前記ガイドワイヤを前記通過孔に案内する第１案内部位と、前記外側チューブの挿入孔を通して挿入される前記ガイドワイヤを曲げて前記第１案内部に案内するために、前記第１案内部から前記挿入孔側に曲げて延長された第２案内部とを有する
ことを特徴とする請求項１に記載のステント施術用カテーテル。
【請求項３】
前記案内部材は前記ソリッドバーに一体に形成されていることを特徴とする請求項２に記載のステント施術用カテーテル。
【請求項４】
前記ソリッドバーは、前記連結チューブと結合される部位に、前記ガイドチップの通過孔と同じ直線上に位置することにより、前記ガイドワイヤを前記通過孔に案内する案内孔を有する案内端を備える
ことを特徴とする請求項１に記載のステント施術用カテーテル。
【請求項５】
前記外側チューブの前記挿入孔を通じて挿入される前記ガイドワイヤを、前記案内孔を経て前記連結チューブの内部に挿入されるように案内する案内チューブをさらに含み、
前記案内チューブは前記外側チューブに結合される
ことを特徴とする請求項４に記載のステント施術用カテーテル。
【請求項６】
一側末端がハンドル側に結合されるソリッドバーと、
前記ソリッドバーが内部に挿入され、ガイドワイヤが外側から中に挿入されることのできる挿入孔が形成され、一側末端が本体側に結合される外側チューブと、
前記ソリッドバー側に結合され、前記ガイドワイヤが通過する通過孔を有することにより、前記ガイドワイヤを案内するガイドチップと、
前記ガイドチップを前記ソリッドバーに連結させる連結チューブと、
前記外側チューブの前記挿入孔を通じて挿入される前記ガイドワイヤを前記連結チューブの内部に挿入されるように案内する案内チューブとを含み、
前記案内チューブは前記外側チューブに挿入された状態で前記外側チューブに結合される
ことを特徴とするステント施術用カテーテル。
【請求項７】
前記ガイドワイヤが前記外側チューブの中に収容されることができるように、前記ソリッドバーは前記連結チューブ側に連結される部位の一定区間に前記ガイドワイヤが収容されることができる空間を設けるための収容溝が形成されている
ことを特徴とする請求項６に記載のステント施術用カテーテル。
【請求項８】
前記ソリッドバーは前記ガイドワイヤを前記通過孔に案内するための案内孔が形成された案内端を有する
ことを特徴とする請求項７に記載のステント施術用カテーテル。
【発明の詳細な説明】
【技術分野】
【０００１】
本発明は、ステントを人体の内腔に挿入するためのカテーテルに関するものである。
【背景技術】
【０００２】
ステントは病変組織の成長により内腔が狭くなって食べ物の円滑な移動が困難な時に施術される。ステントは、超弾性形状記憶合金素材で製作され、それ自体の弾性力で狭くなった内腔の通路を確保する。
上記のようなステントを内腔に挿入するためにカテーテルが用いられる。
カテーテルは半径が最小化されたまま装着されたステントを病変部位に位置させた後、ステントを露出させることができる構造を有する。もちろん、露出されたステントは、それ自体の復元力によって膨張しながら、病変部位の通路を確保する。このようなステントの施術時にステントを病変部位に位置させるためにガイドワイヤが必要である。
【０００３】
従来には、必要によってガイドワイヤの長さがカテーテルの約２倍の長さを有する必要があった。このように、長いガイドワイヤは、患者の自由な活動を阻害するなどの問題があった。従って、大韓民国公開特許１０−２０１２−００７９４３１号（発明の名称：ガイドワイヤを短く使用するステント施術用カテーテルの構造、以下「従来技術」という）などでは、ガイドワイヤの長さを短くすることができる技術が提案された。
従来技術は、インナーチューブの内部にガイドチューブが挿入された状態で結合される。ここで、ガイドチューブはガイドワイヤの曲がりを案内する機能を果たす。このような従来技術によれば、ガイドワイヤの長さを短くすることができて、それに伴う効果（患者の不快感の最小化、施術容易など）を有する。
【０００４】
しかし、非常に狭い通路を有するインナーチューブの内部にガイドチューブを挿入した状態で結合させなければならないため、構造が複雑で、生産性が低下し、不良率が高い。また、把持体とハンドルの相対的な操作移動によってインナーチューブと外部チューブが相対的に移動するとき、インナーチューブの屈折などによって操作不良が発生する虞がある。
【発明の概要】
【発明が解決しようとする課題】
【０００５】
本発明の目的は、ガイドワイヤの長さを短くすることができる利点をそのまま有しながらも、外側チューブの内側にチューブではなく、棒状の構造物が備えられることができる技術を提供することにある。
【課題を解決するための手段】
【０００６】
上記のような目的を達成するために、本発明の第１形態によるステント施術用カテーテルは、一側末端がハンドル側に結合されるソリッドバー（ｓｏｌｉｄｂａｒ）と、上記ソリッドバーが内部に挿入され、ガイドワイヤが外側から内側に挿入されることができる挿入孔が形成され、一側末端が本体側に結合される外側チューブと、上記ソリッドバー側に結合され、ガイドワイヤが通過する通過孔を有することにより、ガイドワイヤを案内するガイドチップと、上記ガイドチップを上記ソリッドバーに連結させる連結チューブとを含み、上記ガイドワイヤが上記挿入孔を通じて上記外側チューブの外側から内側に挿入された後、連結チューブの内部を経て上記ガイドチップの通過孔から抜け出る構造であり、上記ガイドワイヤが上記外側チューブの中に収容されることができるように、上記ソリッドバーは上記連結チューブ側に連結される部位の一定区間に上記ガイドワイヤが収容されることができる空間を設けるために収容溝が形成される。
【０００７】
上記ソリッドバーと上記連結チューブを結合させ、上記外側チューブの挿入孔に挿入されるガイドワイヤが上記連結チューブの内部を経て上記ガイドチップの通過孔から抜け出ることを案内する案内部材をさらに含み、上記案内部材は、ガイドワイヤを案内するための案内孔を有し、上記案内孔は、上記ガイドチップの通過孔と同じ直線上に位置することにより、上記ガイドワイヤを上記通過孔に案内する第１案内部と、上記外側チューブの挿入孔を通じて挿入される上記ガイドワイヤを曲げて上記第１案内部に案内するために、上記第１案内部から上記挿入孔側に曲げられて延長された第２案内部とを有する。
【０００８】
上記案内部材は、上記ソリッドバーに一体に形成されることができる。
上記ソリッドバーは、上記連結チューブと結合される部位に、上記ガイドチップの通過孔と同じ直線上に位置することにより、上記ガイドワイヤを上記通過孔に案内する案内孔を有する案内端を備える。
上記外側チューブの上記挿入孔を通じて挿入される上記ガイドワイヤを上記案内孔を経て上記連結チューブの内部に挿入されるように案内する案内チューブをさらに含み、上記案内チューブは上記外側チューブに結合される。
【０００９】
上記のような目的を達成するために、本発明の第２形態によるステント施術用カテーテルは、一側末端がハンドル側に結合されるソリッドバー（ｓｏｌｉｄｂａｒ）と、上記ソリッドバーの内部に挿入され、ガイドワイヤが外側から内側に挿入されることができる挿入孔が形成され、一側末端が本体側に結合される外側チューブと、上記ソリッドバー側に結合され、ガイドワイヤが通過する通過孔を有することにより、ガイドワイヤを案内するガイドチップと、上記ガイドチップを上記ソリッドバーに連結させる連結チューブと、上記外側チューブの上記挿入孔を通じて挿入される上記ガイドワイヤを上記連結チューブの内部に挿入されるように案内する案内チューブとを含み、上記案内チューブは、上記外側チューブに挿入された状態で、上記外側チューブに結合される。
【００１０】
上記ガイドワイヤが上記外側チューブの中に収容されることができるように、上記ソリッドバーには上記連結チューブ側に連結される部位の一定区間に上記ガイドワイヤが収容されることができる空間を設けるために収容溝が形成される。
上記ソリッドバーは、ガイドワイヤを上記通過孔に案内するための案内孔が形成された案内端を有する。
【発明の効果】
【００１１】
本発明によれば、ガイドワイヤの長さを短くしながらも、棒状のソリッドバーによって次のような効果を奏する。
第一に、構造が簡単であるので、組み立てが簡単であり、不良率が減少して生産性が向上する。
第二に、ソリッドバーと外側チューブが互いに反対方向に移動する時も、ソリッドバーの屈折などによる操作不良を最小化することができるという効果を奏する。
【図面の簡単な説明】
【００１２】
【図１】本発明の第１実施例に係るカテーテルの概略的な斜視図である。
【図２】図１のカテーテルの主要部位に対する分解断面図である。
【図３】図１のカテーテルの主要部位に対する結合断面図である。
【図４】図１のカテーテルの使用状態を説明するための参照図である。
【図５】図１のカテーテルの使用状態を説明するための参照図である。
【図６】第１実施例を応用したカテーテルのソリッドバーに対する断面図である。
【図７】本発明の第２実施例に係るカテーテルの主要部位に対する分解断面図である。
【図８】図７のカテーテルの主要部位に対する結合断面図である。
【発明を実施するための形態】
【００１３】
以下、上記したような本発明に係る好ましい実施例を添付された図面を参照して説明するが、説明を簡潔にするために重複する説明はなるべく省略するか圧縮する。
＜第１実施例＞
図１は本発明の第１実施例に係るステント施術用カテーテル１００（以下「カテーテル」と略称する）に対する概略的な斜視図である。また、図２は図１のカテーテル１００の主要部位に対する分解断面図であり、図３は図１のカテーテル１００の主要部位に対する結合断面図である。
図１に示すように、本発明の第１実施例に係るカテーテル１００は、ソリッドバー（ｓｏｌｉｄ  ｂａｒ）１３０、外側チューブ１４０、ガイドチップ１５０、連結チューブ１６０、案内部材１７０などを含む。
【００１４】
ソリッドバー１３０は、一側末端がハンドル１１０側に結合され、他側が連結チューブ１６０側に結合される。このようなソリッドバー１３０は、チューブ形状とは異なって、中が中空でなく中実の硬い棒状である。それ故、ソリッドバー１３０はその内部にガイドワイヤを挿入することができない。従って、外側チューブ１４０がソリッドバー１３０に対して相対的に後退移動するとき、ガイドワイヤが外側チューブ１４０の中に収容されることのできる空間を設けるために収容溝ＥＳが形成されている。ここで、収容溝ＥＳは連結チューブ１６０側に連結される部位の一定区間に渡って形成される。もちろん、収容溝ＥＳはソリッドバー１３０の他側部位の一定区間を削って簡単に形成することができる。
【００１５】
外側チューブ１４０の内部にはソリッドバー１３０が挿入される。そして外側チューブ１４０にはガイドワイヤが外から中に挿入されることのできる挿入孔ＩＨが形成される。
また、外側チューブ１４０の一側端は本体１２０側に結合される。従って、使用者がハンドル１１０と本体１２０を互いに反対方向に移動させると、それによってソリッドバー１３０と外側チューブ１４０が相対的に互いに反対方向に移動する。
ガイドチップ１５０は、連結チューブ１６０を挟んでソリッドバー１３０側に結合され、ガイドワイヤが通過する通過孔ＴＨを有することによりガイドワイヤを案内する。
【００１６】
連結チューブ１６０はガイドチップ１５０をソリッドバー１３０に連結させる。つまり、連結チューブ１６０の一側はソリッドバー１３０に結合される案内部材１７０に結合され、他側はガイドチップ１５０に結合される。
案内部材１７０はガイドワイヤを案内するための案内孔ＧＨを有する。この案内孔ＧＨは第１案内部ＧＨ１と第２案内部ＧＨ２とに分けられることができる。
【００１７】
第１案内部ＧＨ１はガイドチップ１５０の通過孔ＴＨと同じ直線Ｌ上に位置することにより、ガイドワイヤを通過孔ＴＨに案内する。
第２案内部ＧＨ２は外側チューブ１４０の挿入孔ＩＨを介して挿入されるガイドワイヤを曲げて第１案内部ＧＨ１に案内する。このため、第２案内部ＧＨ２の一側は挿入孔ＩＨ側を向け、他側は第１案内部ＧＨ１に連結される。即ち、第２案内部ＧＨ２は、第１案内部ＧＨ１から挿入孔ＴＨ側に曲げられて延長される。
【００１８】
上記のような構造のカテーテル１００では、図４で示すように、挿入孔ＩＨを通じて外側チューブ１４０の外側から中に挿入されたガイドワイヤＧＷは案内孔ＧＨと連結チューブ１６０の内部を通ってガイドチップ１５０の通過孔ＴＨから抜け出る。
続いて、上記カテーテル１００を利用してステントを施術する方法について説明する。
まず、ガイドワイヤＧＷを利用して図５の（ａ）に示すようにステントＳＴを病変部位に位置させる。
【００１９】
続いて、本体１２０をハンドル１１０側に引っ張ることにより、図５の（ｂ）及び（ｃ）のように、外側チューブ１４０をガイドチップ１５０から後退させる。この時、ガイドワイヤＧＷとソリッドバー１３０は停止した状態を保持するので、外側チューブ１４０の後退によって外側チューブ１４０の内部に収容されるガイドワイヤＧＷは収容溝ＥＳに収容される。より具体的には、外側チューブ１４０の後退によって相対的に外側チューブの内部に進入したガイドワイヤＧＷの一定区間の部分が収容溝ＥＳに収容される。
【００２０】
ここで、外側チューブ１４０が後退しても棒状のソリッドバー１３０は、外側チューブ１４０との摩擦によって容易にしわくちゃになったり、屈曲されたりしない。従って、外側チューブ１４０はソリッドバー１３０に対して相対的に逆方向に安定的に移動することができる。
図５の（ｃ）のように、外側チューブ１４０が十分後退すると、外側チューブ１４０と連結チューブ１６０との間に圧縮された状態で位置したステントＳＴは、外側チューブ１４０による閉じ込めが完全に解除されながら、病変部位に膨張力を加えることができる。
【００２１】
＜応用例＞
第１実施例に係るカテーテル１００は、案内部材１７０がソリッドバー１３０に一体に形成されて応用された形態を有することができる。従って、そのような応用例によれば、図６に示すように、ソリッドバー１３０’の案内部材１７０’が一体に形成される。もちろん、その相違点を除く他の構成は第１実施例と同様である。
【００２２】
＜第２実施例＞
図７は本発明の第２実施例に係るカテーテル７００の主要部位に対する分解断面図であり、図８は本発明の第２実施例に係るカテーテル７００の主要部位に対する結合断面図である。
本発明の第２実施例に係るカテーテル７００は、ソリッドバー７３０、外側チューブ７４０、ガイドチップ７５０、連結チューブ７６０及びガイドチューブ７８０などを含む。
本実施例における外側チューブ７４０、ガイドチップ７５０及び連結チューブ７６０は第１実施例における外側チューブ１４０、ガイドチップ１５０及び連結チューブ１６０と同じであるので、その説明を省略する。
【００２３】
ソリッドバー７３０は、連結チューブ７６０と結合される部位である他側端に案内端７７１を有する。そして、案内端７７１にはガイドチップ７５０の通過孔ＴＨと同じ直線Ｌ上に位置することにより、ガイドワイヤを通過孔ＴＨに案内する案内孔ＧＨを有する。もちろん、本実施例に係るソリッドバー７３０にもガイドワイヤが収容されることができる収容溝ＥＳが形成される。
【００２４】
案内チューブ７８０は外側チューブ７４０の挿入孔ＩＨを通じて挿入されるガイドワイヤが案内孔ＧＨを経て連結チューブ７６０の内部に挿入されることができるように案内する。案内チューブ７８０は一側が挿入溝ＩＨの部位から外側チューブ７４０に結合された状態で備えられ、他側はガイドチップ７５０側に延長される。この案内チューブ７８０は、外側チューブ７４０の移動時にガイドワイヤの屈折をスムーズに案内するので、挿入孔ＩＨの部分でガイドワイヤーの操作不良を防止することができる。
【００２５】
上述したように、本発明に対して添付図面を参照した実施例を通じて具体的に説明した。しかし、上述した実施例は、本発明の好ましい例を挙げて説明しただけである。従って、本発明は、上記実施例のみに限定されるものに理解されてはならず、本発明の権利範囲は後述する特許請求範囲及びその等価概念として理解すべきである。
【符号の説明】
【００２６】
１００、７００：ステント施術用カテーテル
１１０：ハンドル
１２０：本体
１３０：ソリッドバー
ＥＳ：収容溝
１４０：外側チューブ
ＩＨ：挿入孔
１５０：ガイドチップ
ＴＨ：通過孔
１６０：連結チューブ
１７０：案内部材
ＧＨ：案内孔
ＧＨ１：第１案内部
ＧＨ２：第２案内部
７８０：案内チューブ
ＧＷ：ガイドワイヤー
【図１】
2017537754.tif 000003
【図２】
2017537754.tif 000004
【図３】
2017537754.tif 000005
【図４】
2017537754.tif 000006
【図５】
2017537754.tif 000007
【図６】
2017537754.tif 000008
【図７】
2017537754.tif 000009
【図８】
2017537754.tif 000010
【国際調査報告】
2017537754.tif 000011
2017537754.tif 000012
2017537754.tif 000013
2017537754.tif 000014
2017537754.tif 000015
2017537754.tif 000016